(57)【特許請求の範囲】
【請求項１】
１つまたは複数のデジタルコンテンツ検索・配信サイトと、１つまたは複数のデジタルコンテンツ販売サイトと、１つまたは複数のユーザ端末とがネットワークを介して接続されて構成されるデジタルコンテンツ販売システムにおいて、
前記デジタルコンテンツ検索・配信サイトは、キーワード受付解析手段と、対応サイト検索手段とを有すると共に、デジタルコンテンツ販売サイト情報ＤＢを備えて構成され、
前記デジタルコンテンツ販売サイトは、検索キーワード解析手段と、コンテンツ格納ＤＢ検索手段と、検索結果の返信手段とを有すると共に、デジタルコンテンツ格納ＤＢを備えて構成され、
前記デジタルコンテンツ検索・配信サイトは、前記キーワード受付解析手段が、ユーザから送信されてきた検索要求に含まれる検索キーワードと検索種別とを解析して検索式を作成し、前記対応サイト検索手段が、前記キーワード受付解析手段から前記検索種別及び前記検索式を受け取り、前記検索種別に対応するデジタルコンテンツ情報を販売・レンタルする前記デジタルコンテンツ販売サイトの情報を前記デジタルコンテンツ販売サイト情報ＤＢから取得し、取得したデジタルコンテンツ販売サイトに、前記キーワード受付解析手段が作成した前記検索式を含む検索要求を送信し、
前記デジタルコンテンツ販売サイトは、前記検索キーワード解析手段が、受け取った検索要求に含まれる前記検索式を解析し、前記コンテンツ格納ＤＢ検索手段が、前記検索式の解析結果に基づいてデジタルコンテンツ格納ＤＢからデジタルコンテンツ情報を検索し、検索結果の返信手段が、前記検索されたデジタルコンテンツ情報を前記デジタルコンテンツ検索・配信サイトに返信することを特徴とするデジタルコンテンツ販売システム。
【請求項２】
前記ユーザ端末からのデジタルコンテンツを検索する言葉が、ユーザが希望するデジタルコンテンツの種別を示す言葉と、その内容を示す１つまたは複数の言葉とであることを特徴とする請求項１記載のデジタルコンテンツ販売システム。
【請求項３】
前記デジタルコンテンツ検索・配信サイトは、検索結果情報出力手段をさらに備え、該検索結果情報出力手段は、デジタルコンテンツ販売サイトからの検索結果に基づいて、ユーザの希望に一致するデジタルコンテンツの１つまたは複数のサンプルと前記デジタルコンテンツ販売サイトのＵＲＬとを編集した検索結果をユーザ端末に送信することを特徴とする請求項１または２記載のデジタルコンテンツ販売システム。
【請求項４】
前記デジタルコンテンツ検索・配信サイトは、料金処理部をさらに備え、前記アクセス情報取得手段が、前記ユーザ端末から購入またはレンタルの要求を受け付けたとき、前記料金処理部は、料金の支払いに関する情報をユーザ端末に送信することを特徴とする請求項３記載のデジタルコンテンツ販売システム。
【請求項５】
デジタルコンテンツ検索・配信サイトと、１つまたは複数のデジタルコンテンツ販売サイトと、１つまたは複数のユーザ端末とがネットワークを介して接続されて構成されるデジタルコンテンツ販売システムにおけるデジタルコンテンツ販売方法において、
前記デジタルコンテンツ検索・配信サイトは、キーワード受付解析手段と、対応サイト検索手段とを有すると共に、デジタルコンテンツ販売サイト情報ＤＢを備えて構成され、
前記デジタルコンテンツ販売サイトは、検索キーワード解析手段と、コンテンツ格納ＤＢ検索手段と、検索結果の返信手段とを有すると共に、デジタルコンテンツ格納ＤＢを備えて構成され、
前記デジタルコンテンツ検索・配信サイトは、前記キーワード受付解析手段が、ユーザから送信されてきた検索要求に含まれる検索キーワードと検索種別とを解析して検索式を作成し、前記対応サイト検索手段が、前記キーワード受付解析手段から前記検索種別及び前記検索式を受け取り、前記検索種別に対応するデジタルコンテンツ情報を販売・レンタルする前記デジタルコンテンツ販売サイトの情報を前記デジタルコンテンツ販売サイト情報ＤＢから取得し、取得したデジタルコンテンツ販売サイトに、前記キーワード受付解析手段が作成した前記検索式を含む検索要求を送信し、
前記デジタルコンテンツ販売サイトは、前記検索キーワード解析手段が、受け取った検索要求に含まれる前記検索式を解析し、前記コンテンツ格納ＤＢ検索手段が、前記検索式の解析結果に基づいてデジタルコンテンツ格納ＤＢからデジタルコンテンツ情報を検索し、検索結果の返信手段が、前記検索されたデジタルコンテンツ情報を前記デジタルコンテンツ検索・配信サイトに返信することを特徴とするデジタルコンテンツ販売方法。
【発明の詳細な説明】
【０００１】
【発明の属する技術分野】
本発明は、デジタルコンテンツ販売システム及び販売方法に係り、特に、ユーザが希望するデジタルコンテンツの候補一覧を提示して、ユーザが希望するデジタルコンテンツの販売あるいはレンタルを行うデジタルコンテンツ販売システム及び販売方法に関する。
【０００２】
【従来の技術】
インターネットを利用したデジタルコンテンツの販売は、利用者がその販売サイトにアクセスし、そこに提示されているコンテンツの中に希望のものがあれば、そのコンテンツの購入を行うという形態で行われている。この種のデジタルコンテンツの販売に関する従来技術として、例えば、特開２００１−１０１３１３号公報等に記載された技術が知られている。この従来技術は、デジタルコンテンツを提供者から募集して販売するというものである。また、他の従来技術として、ユーザが希望のデジタルコンテンツを取得するために、ユーザが検索サイトにアクセスして検索する言葉を入力し、検索サイトが入力された言葉にヒットしたサイトとその数とをユーザに表示し、その中にユーザが希望するコンテンツがあれば、そのコンテンツをユーザが購入するというものが知られている。
【０００３】
【発明が解決しようとする課題】
前述したデジタルコンテンツを提供者から募集して販売する従来技術は、ユーザが希望するデジタルコンテンツを広くインターネット上のサイトから集めてくるということはしておらず、ユーザの希望を満たすことが困難であるという問題点を有している。また、検索サイトの検索を行う従来技術は、検索する言葉が存在するサイトを一覧表示するだけで、必ずしもその中にユーザが希望するデジタルコンテンツがあるとは限らないという問題点を有している。
【０００４】
本発明の目的は、前述した従来技術の問題点を解決し、ユーザが希望するデジタルコンテンツの検索または出力要求を受けたとき、その内容を解析して、そのデジタルコンテンツを有するサイトを表示し、また、そのサイトがデジタルコンテンツの販売またはレンタルを行うサイトである場合、販売またはレンタルに関する情報をユーザに提供すると共に、デジタルコンテンツをユーザに販売あるいはレンタルすることを可能にしたデジタルコンテンツ販売システム及び販売方法を提供することにある。
【０００５】
【課題を解決するための手段】
本発明によれば前記目的は、１つまたは複数のデジタルコンテンツ検索・配信サイトと、１つまたは複数のデジタルコンテンツ販売サイトと、１つまたは複数のユーザ端末とがネットワークを介して接続されて構成されるデジタルコンテンツ販売システムにおいて、前記デジタルコンテンツ検索・配信サイトは、キーワード受付解析手段と、対応サイト検索手段とを有すると共に、デジタルコンテンツ販売サイト情報ＤＢを備えて構成され、前記デジタルコンテンツ販売サイトは、検索キーワード解析手段と、コンテンツ格納ＤＢ検索手段と、検索結果の返信手段とを有すると共に、デジタルコンテンツ格納ＤＢを備えて構成され、前記デジタルコンテンツ検索・配信サイトは、前記キーワード受付解析手段が、ユーザから送信されてきた検索要求に含まれる検索キーワードと検索種別とを解析して検索式を作成し、前記対応サイト検索手段が、前記キーワード受付解析手段から前記検索種別及び前記検索式を受け取り、前記検索種別に対応するデジタルコンテンツ情報を販売・レンタルする前記デジタルコンテンツ販売サイトの情報を前記デジタルコンテンツ販売サイト情報ＤＢから取得し、取得したデジタルコンテンツ販売サイトに、前記キーワード受付解析手段が作成した前記検索式を含む検索要求を送信し、前記デジタルコンテンツ販売サイトは、前記検索キーワード解析手段が、受け取った検索要求に含まれる前記検索式を解析し、前記コンテンツ格納ＤＢ検索手段が、前記検索式の解析結果に基づいてデジタルコンテンツ格納ＤＢからデジタルコンテンツ情報を検索し、検索結果の返信手段が、前記検索されたデジタルコンテンツ情報を前記デジタルコンテンツ検索・配信サイトに返信することにより達成される。
【０００６】
また、前記目的は、デジタルコンテンツ検索・配信サイトと、１つまたは複数のデジタルコンテンツ販売サイトと、１つまたは複数のユーザ端末とがネットワークを介して接続されて構成されるデジタルコンテンツ販売システムにおけるデジタルコンテンツ販売方法において、前記デジタルコンテンツ検索・配信サイトは、キーワード受付解析手段と、対応サイト検索手段とを有すると共に、デジタルコンテンツ販売サイト情報ＤＢを備えて構成され、前記デジタルコンテンツ販売サイトは、検索キーワード解析手段と、コンテンツ格納ＤＢ検索手段と、検索結果の返信手段とを有すると共に、デジタルコンテンツ格納ＤＢを備えて構成され、前記デジタルコンテンツ検索・配信サイトは、前記キーワード受付解析手段が、ユーザから送信されてきた検索要求に含まれる検索キーワードと検索種別とを解析して検索式を作成し、前記対応サイト検索手段が、前記キーワード受付解析手段から前記検索種別及び前記検索式を受け取り、前記検索種別に対応するデジタルコンテンツ情報を販売・レンタルする前記デジタルコンテンツ販売サイトの情報を前記デジタルコンテンツ販売サイト情報ＤＢから取得し、取得したデジタルコンテンツ販売サイトに、前記キーワード受付解析手段が作成した前記検索式を含む検索要求を送信し、前記デジタルコンテンツ販売サイトは、前記検索キーワード解析手段が、受け取った検索要求に含まれる前記検索式を解析し、前記コンテンツ格納ＤＢ検索手段が、前記検索式の解析結果に基づいてデジタルコンテンツ格納ＤＢからデジタルコンテンツ情報を検索し、検索結果の返信手段が、前記検索されたデジタルコンテンツ情報を前記デジタルコンテンツ検索・配信サイトに返信することにより達成される。
【０００７】
【発明の実施の形態】
以下、本発明によるデジタルコンテンツ販売システムの実施形態を図面により詳細に説明する。
【０００８】
図１は本発明の一実施形態によるデジタルコンテンツ販売システムの構成全体を示すブロック図、図２はデジタルコンテンツ検索・配信サイトの構成を示すブロック図である。図１、図２において、１はデジタルコンテンツ検索・配信サイト、２はユーザ端末、３はデジタルコンテンツ販売サイト、４はインターネット、１１はアクセス情報取得部、１２はキーワード受付解析部、１３は対応サイト検索部、１４は検索結果情報蓄積部・検索結果情報出力部・選択コンテンツ詳細情報出力部、１５は選択コンテンツ配信・配送部、１６は料金処理部、１７はデジタルコンテンツ販売サイト情報ＤＢ、１８は顧客情報ＤＢである。
【０００９】
本発明の一実施形態によるデジタルコンテンツ販売システムは、図１に示すように、１つまたは複数のデジタルコンテンツ検索・配信サイト１と、複数のデジタルコンテンツ販売サイト３と、複数のユーザ端末２とがインターネット４等のネットワークに接続されて構成されている。デジタルコンテンツ販売サイト３は、ダウンロードにより、デジタルコンテンツを販売またはレンタルするサイト、あるいは、そのサイトのホームページ上で、販売物を表示するサイトである。
【００１０】
デジタルコンテンツ検索・配信サイト１は、図２に示すように、アクセス情報取得部１１と、キーワード受付解析部１２と、対応サイト検索部１３と、検索結果情報蓄積部・検索結果情報出力部・選択コンテンツ詳細情報出力部１４と、選択コンテンツ配信・配送部１５と、料金処理部１６とからなり、デジタルコンテンツ販売サイト情報ＤＢ１７及び顧客情報ＤＢ１８を備えて構成されている。
【００１１】
そして、アクセス情報取得部１１は、ユーザ端末２からのアクセス情報を管理すると共に販売またはレンタルしたデジタルコンテンツとユーザの情報とを顧客情報ＤＢ１８に格納する機能を有する。キーワード受付解析部１２は、ユーザが希望するデジタルコンテンツを検索するために送信してきた言葉を解析し、検索式を作成する機能を有する。対応サイト検索部１３は、キーワード受付解析部１２で作成された検索式に基づいてデジタルコンテンツを有するサイトを検索する機能を有する。検索結果情報蓄積部・検索結果情報出力部・選択コンテンツ詳細情報出力部１４は、対応サイト検索部１３が検索したデジタルコンテンツの販売またはレンタルするデジタルコンテンツ販売サイト３の情報から、ユーザが希望するデジタルコンテンツの販売またはレンタルに関する情報を編集して出力する機能を有する。選択コンテンツ配信・配送部１５は、ユーザが購入またはレンタルするデジタルコンテンツの配信・配送を行う機能を有する。料金処理部１６は、ユーザが購入またはレンタルするデジタルコンテンツの料金に関する処理を行う機能を有する。
【００１２】
デジタルコンテンツ販売サイト情報ＤＢ１７は、デジタルコンテンツの販売またはレンタルを行うデジタルコンテンツ販売サイト３のＵＲＬとそのサイトが有するデジタルコンテンツの種別（画像、音楽、キャラクタ等）等とを格納したデータベースである。顧客情報ＤＢ１８は、販売またはレンタルしたデジタルコンテンツとユーザの情報を格納するデータベースである。なお、本発明の実施形態は、デジタルコンテンツ販売サイト情報ＤＢ１７、顧客情報ＤＢ１８を必ずしも備える必要はない。
【００１３】
図３はユーザ端末２におけるデジタルコンテンツ検索画面の例について説明する図であり、次に、これについて説明する。
【００１４】
ユーザが購入等を希望するデジタルコンテンツの検索を行おうとする場合、図３に示すようなデジタルコンテンツ検索画面２１がユーザ端末２に表示される。ユーザは、このデジタルコンテンツ検索画面２１内のデジタルコンテンツ種別フィールド２１１から希望するデジタルコンテンツの種別（画像、音楽、キャラクタ等）を選択する。そして、ユーザは、希望するデジタルコンテンツを検索する言葉（例えば、富士山  冬  朝  カラー）を検索キーワード入力フィールド２１２に入力し、検索実行ボタン２１３をクリックする。これにより、ユーザのデジタルコンテンツ検索要求がデジタルコンテンツ検索・配信サイト１に送信され、キーワード受付解析部１２により受信される。
【００１５】
図４はキーワード受付解析部１２でのユーザからのデジタルコンテンツ検索要求に対する処理動作を説明するフローチャートであり、次に、これについて説明する。
【００１６】
（１）キーワード受付解析部１２は、ユーザ端末２からのデジタルコンテンツ検索要求の受信により処理を開始し、まず、検索種別（画像、音楽、キャラクタ等）を解析する（ステップ１２１、１２２）。
【００１７】
（２）次に、デジタルコンテンツ検索要求に含まれる検索キーワード（例えば、富士山  冬  朝  カラー）を解析し、ステップ１２２で解析した検索種別（画像、音楽、キャラクタ等）と検索キーワードの解析結果とから、デジタルコンテンツ検索式を作成する。この検索式は、一般的には、複数の検索キーワードがある場合、それらと種別との論理積として作成されるが、ユーザからの要求により、論理和、あるいは、論理和と論理積との組み合わせとすることもできる（ステップ１２３）。
【００１８】
（３）次に、キーワード受付解析部１２は、対応サイト検索部１３に作成した論理式をわたして検索要求の通知を行って処理を終了（ステップ１２４、１２５）。
【００１９】
図５はキーワード受付解析部１２からの検索要求を受け取った対応サイト検索部１３の処理動作を説明するフローチャートであり、次に、これについて説明する。
【００２０】
（１）対応サイト検索部１３は、キーワード受付解析部１２からの検索要求を受けると処理を開始し、まず、デジタルコンテンツ販売サイト情報ＤＢ１７から販売サイト情報を取得する。デジタルコンテンツ販売サイト情報ＤＢ１７の内容については、図６を参照して後述する（ステップ１３１、１３２）。
【００２１】
（２）ステップ１３２で取得した販売サイト情報からその販売サイトがユーザが希望するデジタルコンテンツ種別（画像、音楽、キャラクタ等）を販売またはレンタルするサイトであるか否かを判定し、販売またはレンタルするサイトであれば、対応するデジタルコンテンツ販売サイト３にデジタルコンテンツ検索要求を送信する。このとき、キーワード受付解析部１２で作成した、デジタルコンテンツの検索用の論理式を付加して送信する（ステップ１３３、１３４）。
【００２２】
（３）ステップ１３４の処理後、または、ステップ１３３の判定で、その販売サイトがユーザが希望するデジタルコンテンツ種別を販売またはレンタルするサイトでなかった場合、デジタルコンテンツ販売サイト情報ＤＢ１７内の全販売サイト情報について終了したか否かを判定し、終了していない場合、ステップ１３２からの処理を繰り返し、デジタルコンテンツ販売サイト情報ＤＢ１７内の情報がなくなるまで実行して処理を終了（ステップ１３５、１３６）。
【００２３】
前述した処理において、デジタルコンテンツ販売サイト情報ＤＢ１７を備えていない場合、直接デジタルコンテンツ販売サイト３にデジタルコンテンツ検索要求を送信してもよい。
【００２４】
図６はデジタルコンテンツ販売サイト情報ＤＢ１７に格納されている情報例を示す図である。デジタルコンテンツ販売サイト情報ＤＢ１７には、図６に示すように、販売またはレンタルするデジタルコンテンツ種別（画像、音楽、キャラクタ等）と、それらを提供しているサイトのＵＲＬ等が格納されている。
【００２５】
図７は対応サイト検索部１３からのデジタルコンテンツ検索要求により動作するデジタルコンテンツ販売サイト３の処理動作を説明するフローチャートであり、次に、これについて説明する。
【００２６】
（１）デジタルコンテンツ販売サイト３は、デジタルコンテンツ検索・配信サイト１の対応サイト検索部１３からのデジタルコンテンツ検索要求により、処理を開始し、まず、デジタルコンテンツ検索要求のデジタルコンテンツの検索式を解析する（ステップ３１、３２）。
【００２７】
（２）次に、ユーザが希望するデジタルコンテンツをデジタルコンテンツ格納ＤＢ３６から検索し、デジタルコンテンツのサンプル及び販売またはレンタルに関する情報を抽出する（ステップ３３）。
【００２８】
（３）デジタルコンテンツ検索・配信サイト１に検索結果として、デジタルコンテンツのサンプル及び販売またはレンタルに関する情報を返信して処理を終了する（ステップ３４、３５）。
【００２９】
図８は検索結果情報蓄積部・検索結果情報出力部・選択コンテンツ詳細情報出力部１４における検索結果情報の蓄積処理の動作を説明するフローチャートであり、次に、これについて説明する。
【００３０】
（１）デジタルコンテンツ検索・配信サイト１の検索結果情報蓄積部・検索結果情報出力部・選択コンテンツ詳細情報出力部１４の検索結果情報蓄積部は、デジタルコンテンツ販売サイト３から返信されてきた検索結果（デジタルコンテンツのサンプル及び販売またはレンタルに関する情報）を受けて、処理を開始し、まず、受け取った検索結果を解析する（ステップ１４１、１４２）。
【００３１】
（２）その後、受け取った検索結果（デジタルコンテンツのサンプル及び販売またはレンタルに関する情報）を蓄積し、デジタルコンテンツ販売サイト３からの検索結果の全てが返信されたか否かを判定する（ステップ１４３、１４４）。
【００３２】
（３）ステップ１４４の判定で、全ての検索結果が返信されていた場合、検索結果情報蓄積部・検索結果情報出力部・選択コンテンツ詳細情報出力部１４の検索結果情報出力部に検索結果出力要求を行って処理を終了する。また、全ての検索結果が返信されていなかった場合、そのまま処理を終了する（ステップ１４５、１４６）。
【００３３】
なお、本発明の実施形態は、前述した図５〜図８による説明における、デジタルコンテンツ検索・配信サイト１とデジタルコンテンツ販売サイト３との間の動作を、デジタルコンテンツ検索・配信サイト１がデジタルコンテンツ販売サイト３の動作を規定することなく、デジタルコンテンツ販売サイト３に検索要求を送信して、検索結果を受け取り、検索結果中のデジタルコンテンツのサンプル及び販売またはレンタルに関する情報を解析するようにしてもよい。
【００３４】
図９は検索結果情報蓄積部・検索結果情報出力部・選択コンテンツ詳細情報出力部１４の検索結果情報出力部が蓄積された検索結果を編集し、ユーザ端末２に出力したデジタルコンテンツ検索結果画面の例を示す図である。
【００３５】
図９に示すデジタルコンテンツ検索結果画面２２の例には、画像検索結果の画面の例であり、ユーザが希望して入力したデジタルコンテンツを検索する言葉と一致した画像の複数のサンプル２２１が表示される。ユーザは、希望する画像があれば、その画像のサンプルと共に表示されている購入種別（電子データ、物品）を購入物選択フィールド２２２により選択する。また、ユーザは、詳細情報表示ボタン２２３をクリックすることにより、デジタルコンテンツ詳細情報表示を画面に表示させて見ることができる。また、図示していないが、ユーザは、販売サイトＵＲＬ２２４をクリックすることにより、その画像を提供しているデジタルコンテンツ販売サイト３のホームページを表示させることができる。
【００３６】
図１０は電子データ購入時にユーザ端末に表示されるデジタルコンテンツの詳細情報表示画面の例を示す図、図１１は物品購入時にユーザ端末に表示されるデジタルコンテンツの詳細情報表示画面の例を示す図である。
【００３７】
図１０に示す電子データ購入時にユーザ端末に表示されるデジタルコンテンツの詳細情報表示画面２３は、電子データイメージフィールド２３１と、購入方法選択フィールド２３２と、レンタル期間選択フィールド２３３と、画質選択フィールド２３４と、画像イメージ詳細表示ボタン２３５と、使用許可表示２３６と、料金明細詳細表示ボタン２３７と、料金明細表表示フィールド２３８と、料金明細表の料金支払い画面表示ボタン２３９とにより構成される。
【００３８】
電子データの購入時、ユーザは、購入方法（レンタル、買い取り）を、図１０に示す画面２３の購入方法選択フィールド２３２から選択する。次に、購入方法がレンタルの場合、ユーザは、レンタル期間（三ヶ月、六ヶ月、一年等）をレンタル期間選択フィールド２３３より選択する。購入方法が買い取りの場合、レンタル期間選択フィールド２３３は意味をなさない。次に、ユーザは、画質（上、中、下等）を画質選択フィールド２３４から選択する。
【００３９】
ユーザは、前述の入力フィールドに情報を入力後、画像イメージ詳細表示ボタン２３５をクリックすることにより、画像イメージの詳細を電子データイメージフィールド２３１に表示させる。このとき、購入方法がレンタルの場合、使用許可表示２３６が付加された画像イメージの詳細が表示される。また、ユーザが料金明細詳細表示ボタン２３７をクリックすると、料金明細表表示フィールド２３８に料金明細表が表示される。料金明細表の料金支払い画面表示ボタン２３９がクリックされると、料金支払い画面が表示される。料金支払い画面については、図１２により後述する。
【００４０】
図１１に示す物品購入時にユーザ端末に表示されるデジタルコンテンツの詳細情報表示画面２４は、物品イメージフィールド２４１と、紙質選択フィールド２４２と、フレーム選択フィールド２４３と、画質選択フィールド２４４と、物品イメージ詳細表示ボタン２４５と、料金明細詳細表示ボタン２４６と、料金明細表表示フィールド２４７と、料金明細表の料金支払い画面表示ボタン２４８とにより構成される。
【００４１】
物品購入時、ユーザは、まず、紙質（上、中、下等）を、図１１に示す画面２４の紙質選択フィールド２４２からより選択する。次に、ユーザは、フレーム（上、中、下等）をフレーム選択フィールド２４３から選択する。フレームを購入しない場合、フレーム選択フィールド２４３は意味をなさない。ユーザは、次に、画質（上、中、下等）を画質選択フィールド２４４から選択する。
【００４２】
ユーザは、前述の入力フィールドに情報を入力後、画像イメージ詳細表示ボタン２４５をクリックすることにより、画像イメージの詳細を物品イメージ表示フィールド２４１に表示させる。このとき、フレームも購入する場合、フレームを付加した画像イメージの詳細が表示される。また、ユーザが料金明細詳細表示ボタン２４６をクリックすると、料金明細表表示フィールド２４７に料金明細表が表示される。料金明細表の料金支払い画面表示ボタン２４８がクリックされると、料金支払い画面が表示される。料金支払い画面については、図１２により説明する。
【００４３】
図１２はユーザ端末に表示される料金支払い画面の例を示す図である。この料金支払い画面２５は、図１０、図１１の画面における料金支払い画面表示ボタンがクリックされたときに表示される。
【００４４】
ユーザは、図１２に示す料金支払い画面に、料金支払いに関する必要事項を入力し、振り込みボタン２５１をクリックすることにより、デジタルコンテンツ検索・配信サイト１に料金決済要求を送信する。図示していないが、料金決済要求を受信したデジタルコンテンツ検索・配信サイト１は、料金処理部１６により料金決済を行い、販売またはレンタルしたデジタルコンテンツとユーザの情報を顧客情報ＤＢ１８に格納する。なお、顧客情報ＤＢ１８はなくてもよい。料金処理部１６による料金決済が完了すると、料金処理部１６は、選択コンテンツ配信／配送部１５に配信・配送通知を行う。
【００４５】
図１３は料金処理部１６からの配信・配送要求により動作する選択コンテンツ配信・配送部１５での処理動作を説明するフローチャートであり、次に、これについて説明する。図１３に示す例は、コンテンツとして画像を配信・配送する場合の例である。
【００４６】
（１）選択コンテンツ配信・配送部１５は、料金処理部１６からの配信・配送要求により処理を開始し、まず、販売物が電子データか物品かを判定する（ステップ１５１、１５２）。
【００４７】
（２）ステップ１５２の判定で、販売物が電子データであった場合、購入方法がレンタルか買い取りかを判定し、購入方法がレンタルの場合、使用許可表示２３６の付加及びレンタル終了後の不正使用防止措置を行う。不正使用防止措置は、例えば、電子データにタイマ機能を付加し、レンタル終了日が来たら画像を削除する等を行わせる措置である（ステップ１５３、１５４）。
【００４８】
（３）ステップ１５４の処理後、または、ステップ１５３の判定で、購入方法が買い取りであった場合、購入元であるユーザ端末２にその電子データを送信して処理を終了する（ステップ１５５、１５８）。
【００４９】
（４）ステップ１５２の判定で、販売物が物品であった場合、指定された画質、紙質で画像を印刷し、フレーム質等の発注伝票を印刷する処理を行って処理を終了する（ステップ１５６〜１５８）。
【００５０】
前述した本発明の実施形態による各処理は、処理プログラムとして構成することができ、この処理プログラムは、ＨＤ、ＤＡＴ、ＦＤ、ＭＯ、ＤＶＤ−ＲＯＭ、ＣＤ−ＲＯＭ等の記録媒体に格納して提供することができる。
【００５１】
前述で説明したような本発明の実施形態によるデジタルコンテンツ販売システムによれば、ユーザから希望のデジタルコンテンツの検索または出力要求を受けると、その内容を解析して、そのデジタルコンテンツを有するサイトを表示し、また、サイトがデジタルコンテンツの販売またはレンタルサイトである場合、販売またはレンタルに関する情報を出力することが可能であり、ユーザにユーザの希望に沿ったデジタルコンテンツを販売あるいはレンタルすることができる。
【００５２】
【発明の効果】
以上説明したように本発明によれば、ユーザが希望するデジタルコンテンツを有するサイトを表示し、また、そのサイトがデジタルコンテンツの販売またはレンタルを行うサイトである場合、販売またはレンタルに関する情報をユーザに提供すると共に、デジタルコンテンツをユーザに販売あるいはレンタルすることができる。
【図面の簡単な説明】
【図１】本発明の一実施形態によるデジタルコンテンツ販売システムの構成全体を示すブロック図である。
【図２】デジタルコンテンツ検索・配信サイトの構成を示すブロック図である。
【図３】ユーザ端末におけるデジタルコンテンツ検索画面の例について説明する図である。
【図４】キーワード受付解析部でのユーザからのデジタルコンテンツ検索要求に対する処理動作を説明するフローチャートである。
【図５】キーワード受付解析部からの検索要求を受け取った対応サイト検索部の処理動作を説明するフローチャートである。
【図６】デジタルコンテンツ販売サイト情報ＤＢに格納されている情報例を示す図である。
【図７】対応サイト検索部からのデジタルコンテンツ検索要求により動作するデジタルコンテンツ販売サイトの処理動作を説明するフローチャートである。
【図８】検索結果情報蓄積部・検索結果情報出力部・選択コンテンツ詳細情報出力部における検索結果情報の蓄積処理の動作を説明するフローチャートである。
【図９】検索結果情報蓄積部・検索結果情報出力部・選択コンテンツ詳細情報出力部の検索結果情報出力部が蓄積された検索結果を編集し、ユーザ端末に出力したデジタルコンテンツ検索結果画面の例を示す図である。
【図１０】電子データ購入時にユーザ端末に表示されるデジタルコンテンツの詳細情報表示画面の例を示す図である。
【図１１】物品購入時にユーザ端末に表示されるデジタルコンテンツの詳細情報表示画面の例を示す図である。
【図１２】ユーザ端末に表示される料金支払い画面の例を示す図である。
【図１３】料金処理部からの配信・配送要求により動作する選択コンテンツ配信・配送部での処理動作を説明するフローチャートである。
【符号の説明】
１  デジタルコンテンツ検索・配信サイト
２  ユーザ端末
３  デジタルコンテンツ販売サイト
４  インターネット
１１  アクセス情報取得部
１２  キーワード受付解析部
１３  対応サイト検索部
１４  検索結果情報蓄積部・検索結果情報出力部・選択コンテンツ詳細情報出力部
１５  選択コンテンツ配信・配送部
１６  料金処理部
１７  デジタルコンテンツ販売サイト情報ＤＢ
１８  顧客情報ＤＢ
【図１】
0003860461.tif 000002
【図２】
0003860461.tif 000003
【図３】
0003860461.tif 000004
【図４】
0003860461.tif 000005
【図５】
0003860461.tif 000006
【図６】
0003860461.tif 000007
【図７】
0003860461.tif 000008
【図８】
0003860461.tif 000009
【図９】
0003860461.tif 000010
【図１０】
0003860461.tif 000011
【図１１】
0003860461.tif 000012
【図１２】
0003860461.tif 000013
【図１３】
0003860461.tif 000014